(57)【要約】【課題】本発明は、寝苦しい高温・多湿の時期でも、清涼感を感じさせる夏用掛布団を提供するものである。【解決手段】本発明に係る夏用掛布団Ａは、掛布団の長さ方向に、充填物を封入した中央キルティング部１０、充填物を封入した左側部キルティング部２０、及び、充填物を封入した右側部キルティング部３０の３筋のキルティング部を形成し、各キルティング部の間は、通気性布地のみからなり、充填物を封入しない２筋の薄地部４０、５０を配したことを特徴とするものである。【選択図】  図２
2009100864.tif 000002
【特許請求の範囲】
【請求項１】
掛布団の長さ方向に、充填物を封入した中央キルティング部、充填物を封入した左側部キルティング部、及び、充填物を封入した右側部キルティング部の３筋のキルティング部を形成し、各キルティング部の間は、通気性布地のみからなり、充填物を封入しない２筋の薄地部を配したことを特徴とする夏用掛布団。
【請求項２】
掛布団の長さ方向に、充填物を封入した中央左キルティング部、充填物を封入した中央右キルティング部、充填物を封入した左側部キルティング部、及び、充填物を封入した右側部キルティング部の４筋のキルティング部を形成し、各キルティング部の間は、通気性布地のみからなり、充填物を封入しない３筋の薄地部を配したことを特徴とする夏用掛布団。
【請求項３】
通気性のある布地により裏面側全面を覆う裏面被覆地を縫着してなることを特徴とする請求項１又は２に記載の夏用掛布団。
【請求項４】
充填物を封入し、キルティングにより仕切られた区画部を有する掛布団であって、１又は複数の区画部において、その一部に充填物の介在しない通気性布地のみからなる通気領域を設けてなることを特徴とする夏用掛布団。
【発明の詳細な説明】
【技術分野】
【０００１】
本発明は、高温・多湿の時期に適した夏用の掛布団に関する。
【背景技術】
【０００２】
従来から、公知文献１に示されるように、掛布団の幅方向にメッシュ地を２筋又は４筋配した掛布団が知られている。下記公知文献１に示される掛布団は、脚部及び胸部に相当する位置に幅方向にメッシュ地を配することにより通気性を向上させて、掛布団内部にこもる体温を放出できるようにし、使用者を寝苦しさから解放し、保温の必要な腹部は放熱を防止して健康促進を図るようにしたものである。
【特許文献１】実開平５-９３６８号
【発明の開示】
【発明が解決しようとする課題】
【０００３】
しかしながら、上記公知文献１の掛布団は、幅方向にメッシュ地を介在させているために、使用者が就寝中に上下に移動すると、メッシュ地の部分が縮こまって掛布団がたくし上がるおそれがあり、身体に対してフィット性が欠如する欠点がある。また、脚部及び胸部の熱を放出する予定でメッシュ地を幅方向に配したとしても、使用者が就寝中に上下に移動すれば、腹部にメッシュ地が被さってしまうようなおそれがあり、寝冷え等を引き起こすおそれがある。また、幅方向にメッシュ地を配したことにより、メッシュ地が身体を横断するので局部的に熱が開放されるだけで、身体全体に清涼感を感じさせるようなものではなく、寝苦しさを改善する程のものではなかった。しかも、通常、掛布団を畳んだり、敷いたりするとき、又は、就寝中に掛布団を引き上げるようなときには、長手方向の端部を引っ張ることが多く、これが日常頻繁に行われるため、布団綿充填部よりも引っ張り強度が低い幅方向のメッシュ地に引っ張り力が集中して引きちぎれるおそれがあった。
【０００４】
本発明は、上記の実情に鑑み、上記従来の欠点を解消すべく、寝苦しい高温・多湿の時期でも、清涼感を感じさせる夏用掛布団を開発することを目的とするものである。
【課題を解決するための手段】
【０００５】
本発明に係る夏用掛布団は、掛布団の長さ方向に、充填物を封入した中央キルティング部、充填物を封入した左側部キルティング部、及び、充填物を封入した右側部キルティング部の３筋のキルティング部を形成し、各キルティング部の間は、通気性布地のみからなり、充填物を封入しない２筋の薄地部を配したことを特徴とするものである。この構成は、特にシングルサイズの掛布団に最適な構成である。
【０００６】
また、本発明に係る夏用掛布団として、ダブルサイズの掛布団に最適になるように、掛布団の長さ方向に、充填物を封入した中央左キルティング部、充填物を封入した中央右キルティング部、充填物を封入した左側部キルティング部、及び、充填物を封入した右側部キルティング部の４筋のキルティング部を形成し、各キルティング部の間は、通気性布地のみからなり、充填物を封入しない３筋の薄地部を配した構成としてもよい。
【０００７】
上記の各夏用掛布団において、通気性のある布地により、夏用掛布団の裏面側全面を覆う裏面被覆地を縫着してもよい。
【０００８】
さらに、本発明の夏用掛布団として、充填物を封入し、キルティングにより仕切られた区画部を有する掛布団であって、１又は複数の区画部において、その一部に充填物の介在しない通気性布地のみからなる通気領域を設けてなる構成としてもよい。
【発明の効果】
【０００９】
上記のように長さ方向に薄地部を配した構成にしたことにより、従来のように幅方向にメッシュ地を配したことに起因する欠点が全て解消され、身体の両側に薄地部が位置するので、身体に致してフィット性が良好であり、かつ、身体の両側から熱を放出するので身体全体に清涼感を与え、高温・多湿の時期である夏用の掛布団として最適である。
【発明を実施するための最良の形態】
【００１０】
以下、本発明に係る夏用掛布団（以下、単に「掛布団」という。）について、図面に基づき詳細に説明する。なお、本発明において、キルティング部とはキルティングにより区画された区画部のこという。
【実施例１】
【００１１】
実施例１はシングルサイズの掛布団について説明するものであり、図１は実施例１に係る掛布団の平面図であり、図２は実施例１に係る掛布団の斜視図であり、図３は実施例１に係る掛布団の幅方向の端面図である。
【００１２】
図１〜図３に示されるように、実施例１に係る掛布団Ａは、長さ方向の中央部及び左右側部に羽毛等の充填物を封入したキルティング部が長さ方向全長に亘って配され、この各キルティング部の間に充填物を封入しない薄地部を長さ方向全長に亘って配してなるものである。
【００１３】
すなわち、図において１０は、中央キルティング部を示し、該中央キルティング部１０は内部に羽毛１１が封入されていると共に、縦横に縫着によるキルティング１２が配されている。２０は左側キルティング部を示し、該左側キルティング部２０は内部に羽毛２１が封入されていると共に、縦横に縫着によるキルティング２２が配されている。３０は右側キルティング部を示し、該右側キルティング部３０は内部に羽毛３１が封入されていると共に、縦横に縫着によるキルティング３２が配されている。４０は左側薄地部であって、通気性のある布地４０ａのみからなり、充填物は封入されていない。５０は右側薄地部であって、通気性のある布地５０ａのみからなり、充填物は封入されていない。
【００１４】
その構造が図３に示される。中央キルティング部１０は、表側地１０ａと裏側地１０ｂと、その間に充填された羽毛１１が介在しており、その中央に縫着によるキルティング１２が配されて構成されている。中央キルティング部１０の左側縁部１０ｃは表側地１０ａと裏側地１０ｂとの間に左側薄地部４０を形成する通気性のある布地４０ａの端縁が縫着により挟着されている。中央キルティング部１０の右側縁部１０ｄは表側地１０ａと裏側地１０ｂとの間に右側薄地部５０を形成する通気性のある布地５０ａの端縁が縫着により挟着されている。
【００１５】
左側キルティング部２０は、表側地２０ａと裏側地２０ｂと、その間に充填された羽毛２１が介在しており、その中央に縫着によるキルティング２２が配されて構成されている。左側キルティング部２０の縫着された左側縁部２０ｃは掛布団の端縁となる。左側キルティング部２０の右側縁部２０ｄは表側地２０ａと裏側地２０ｂとの間に左側薄地部４０を形成する通気性のある布地４０ａの端縁が縫着により挟着されている。
【００１６】
右側キルティング部３０は、表側地３０ａと裏側地３０ｂと、その間に充填された羽毛３１が介在しており、その中央に縫着によるキルティング３２が配されて構成されている。右側キルティング部３０の左側縁部３０ｃは表側地３０ａと裏側地３０ｂとの間に右側薄地部５０を形成する通気性のある布地５０ａの端縁が縫着により挟着されている。右側キルティング部３０の縫着された右側縁部３０ｄは掛布団の端縁となる。
【００１７】
そして、前記の中央キルティング部１０を構成する裏側地１０ｂ、その左側に縫着されている左側薄地部４０を構成する布地４０ａ、さらにその左側に布地４０ａに縫着された左側キルティング部２０を構成する裏側地２０ｂ、また、中央キルティング部１０を構成する裏側地１０ｂの右側に縫着されている右側薄地部５０を構成する布地５０ａ、さらにその右側に布地５０ａに縫着された右側キルティング部３０を構成する裏側地３０ｂの全面を覆う裏面被覆地６０が縫着されている。該裏面被覆地６０は通気性ある布地で構成されており、掛布団の端縁と各キルティング部と各薄地部との挟着箇所において縫着され、一体化されている。
【００１８】
実施例１に係る掛布団Ａは、上記のように構成されており、薄地部４０、５０においては通気性が良好であり、キルティング部１０、２０、３０においては十分な保温性が保たれている。また、裏面被覆地６０により、薄地部とキルティング部との段差を感じさせず、極めて肌触りの良好なものとなっている。さらに薄地部４０、５０が長さ方向全長に亘って配されているので、身体から発する熱が身体の側部から放出されるので、掛布団内全体において熱が発散されるので、十分な清涼感が得られ、高温・多湿の環境下においても寝苦しさを感じることなく快適な睡眠をとることができる。当該掛布団Ａを長さ方向に引っ張っても、キルティング部が長さ方向の全長に亘って配されているため、薄地部に引っ張り力が集中することがないので、長さ方向の引っ張りに対して薄地部が破損するおそれがない。しかも、薄地部が長さ方向に配されているので、薄地部が縮こまっても、掛布団がたくし上がるようなことはなく、むしろ、身体に沿った状態となるのでフィット性の極めて良好となり、寝心地がよくなる利点がある。
【００１９】
実施例１においては、充填物として羽毛を採用しているが、これに限られるものではなく羊毛綿、合繊綿又は木綿綿などを使用してもよい。また、実施例１において縫着によるキルティングを採用しているが、桟立てにより区画するキルティングを採用してもよい。
【００２０】
なお、実施例１においては、シングルサイズ用として説明したが、ダブルサイズ用として、掛布団の長さ方向に、充填物を封入した中央左キルティング部と充填物を封入した中央右キルティング部と充填物を封入した左側部キルティング部と充填物を封入した右側部キルティング部との４筋のキルティング部を形成し、各キルティング部の間は、通気性布地のみからなり、充填物を封入しない３筋の薄地部を配した構成としてもよい。
【実施例２】
【００２１】
図４は実施例２に係る掛布団の平面図であり、図５は実施例２に係る掛布団の斜視図であり、図６は図４におけるＶＩ−ＶＩ線端面図である。
【００２２】
図４〜図６に示されるように、実施例２に係る掛布団Ｂは、長さ方向及び幅方向にキルティングが配され、内部に羽毛を充填してなるものであり、キルティングにより仕切られた複数の区画部のうちのいくつかの区画部において、その一部に充填物の介在しない通気性布地のみからなる通気領域を設けたものである。
【００２３】
すなわち、図４〜図６において１００は掛布団Ｂに配したキルティングであり、キルティング１００により仕切られた複数の区画部のうち、区画部１１０，１２０，１３０，１４０の４区画部には、掛布団Ｂの表裏を貫通する孔を形成し、充填物が漏出しないように孔周縁を縫合すると共に孔全面に通気性のある布地を縫着して通気領域１１１，１２１，１３１，１４１を形成したものである。
【００２４】
このように通気領域１１１，１２１，１３１，１４１を掛布団Ｂに設けたことにより、通気領域１１１，１２１，１３１，１４１においては通気性が良好であり、身体から発する熱が掛布団Ｂの外部に放出されるので、掛布団内全体において熱が発散されるので、十分な清涼感が得られ、高温・多湿の環境下においても寝苦しさを感じることなく快適な睡眠をとることができる。また、当該掛布団Ｂを長さ方向に引っ張っても、通気領域に引っ張り力が集中することがないので、長さ方向の引っ張りに対して通気領域が破損するおそれがない。しかも、通気領域が縮こまるようなことがなく、掛布団がたくし上がるようなことはない。
【００２５】
実施例２においては、充填物として羽毛を採用しているが、これに限られるものではなく羊毛綿、合繊綿又は木綿綿などを使用してもよい。また、実施例２においては通気領域が区画部一つ飛びに設けられているが、これに限られるものではなく、全区画部に設けてもよく、桂馬飛びなど適当に飛んで配してもよい。通気領域の形状も実施例のように円形に限られるものではなく、三角、四角、星形など適宜の形状を採用してもよい。また、縫着によるキルティングを採用しているが、桟立てにより区画するキルティングを採用してもよい。
【図面の簡単な説明】
【００２６】
【図１】本発明の実施例１に係る掛布団の平面図である。
【図２】本発明の実施例１に係る掛布団の斜視図である。
【図３】本発明の実施例１に係る掛布団の幅方向の端面図である。
【図４】本発明の実施例２に係る掛布団の平面図である。
【図５】本発明の実施例２に係る掛布団の斜視図である。
【図６】図４におけるＶＩ-ＶＩ線端面図である。
【符号の説明】
【００２７】
Ａ・・・・・掛布団
１０・・・・中央キルティング部
１０ａ・・・中央キルティング部の表側地
１０ｂ・・・中央キルティング部の裏側地
１０ｃ・・・中央キルティング部の左側縁部
１０ｄ・・・中央キルティング部の右側縁部
１１・・・・羽毛
１２・・・・キルティング
２０・・・・左側キルティング部
２０ａ・・・左側キルティング部の表側地
２０ｂ・・・左側キルティング部の裏側地
２０ｃ・・・左側キルティング部の左側縁部
２０ｄ・・・左側キルティング部の右側縁部
２１・・・・羽毛
２２・・・・キルティング
３０・・・・右側キルティング部
３０ａ・・・右側キルティング部の表側地
３０ｂ・・・右側キルティング部の裏側地
３０ｃ・・・右側キルティング部の左側縁部
３０ｄ・・・右側キルティング部の右側縁部
３１・・・・羽毛
３２・・・・キルティング
４０・・・・左側薄地部
４０ａ・・・左側薄地部を構成する布地
５０・・・・右側薄地部
５０ａ・・・右側薄地部を構成する布地
６０・・・・裏面被覆地
Ｂ・・・・・掛布団
１００・・・キルティング
１１０・・・区画部
１２０・・・区画部
１３０・・・区画部
１４０・・・区画部
１１１・・・通気領域
１２１・・・通気領域
１３１・・・通気領域
１４１・・・通気領域
【図１】
2009100864.tif 000003
【図２】
2009100864.tif 000004
【図３】
2009100864.tif 000005
【図４】
2009100864.tif 000006
【図５】
2009100864.tif 000007
【図６】
2009100864.tif 000008